(57)【要約】【課題】  写真の用途や提出先に応じた効果的な写真の撮影を支援することが可能な写真撮影装置、写真撮影方法、及びプログラムを提供する。【解決手段】  写真撮影装置１に被撮影者５が写真の用途または提出先を入力すると、制御部１１は、入力された写真の用途または提出先に応じた注意事項とその判定基準を記憶部１６から取得し、これに基づいて被撮影者５の状態を判定する。そして、判定結果に応じた案内情報（ガイダンス）を被撮影者５に通知する。被撮影者５はガイダンスに誘導されて姿勢や表情や服装等を写真の用途または提出先に応じて整えることができる。これにより用途や提出先に応じた効果的な写真を得ることが可能となる。【選択図】図７
2018042120.tif 000002
【特許請求の範囲】
【請求項１】
被撮影者を撮影する撮影手段と、
前記被撮影者の状態について撮影時に注意する注意事項と、各注意事項の判定基準と、前記注意事項についての被撮影者への案内情報と、を記憶する記憶手段と、
前記撮影手段により得た画像から前記被撮影者の状態を前記注意事項の判定基準に基づいて判定する判定手段と、
前記判定手段による判定結果に応じて前記記憶手段に記憶された案内情報を読み出し、前記被撮影者に通知する通知手段と、
を備えることを特徴とする写真撮影装置。
【請求項２】
前記撮影手段により撮影された画像を所定の用紙にプリントするプリント手段を更に備えることを特徴とする請求項１に記載の写真撮影装置。
【請求項３】
前記注意事項の判定基準は、写真の用途または提出先に応じて設定されていることを特徴とする請求項１または請求項２に記載の写真撮影装置。
【請求項４】
写真の用途または提出先を入力する入力手段を更に備え、
前記判定手段は、前記入力手段により入力された写真の用途または提出先に応じた前記注意事項を前記記憶手段から抽出し、抽出した注意事項について前記被撮影者の状態を判定することを特徴とする請求項３に記載の写真撮影装置。
【請求項５】
前記案内情報の通知を行うか否かの選択を受け付ける選択手段を更に備えることを特徴とする請求項１から請求項４のいずれかに記載の写真撮影装置。
【請求項６】
前記撮影手段は、前記判定手段による判定結果が前記判定基準を満たした際に撮影を開始することを特徴とする請求項１から請求項５のいずれかに記載の写真撮影装置。
【請求項７】
前記判定手段による判定結果に基づき、前記判定基準を満たした注意事項の割合を示す達成率を算出し、表示する達成率表示手段を更に備えることを特徴とする請求項１から請求項６のいずれかに記載の写真撮影装置。
【請求項８】
被撮影者を撮影する撮影手段を備えた写真撮影装置における写真撮影方法であって、
前記撮影手段により得た画像から前記被撮影者の状態を、記憶部に記憶されている注意事項の判定基準に基づいて判定するステップと、
判定結果に応じた案内情報を前記記憶部から読み出し、前記被撮影者に通知するステップと、
を含むことを特徴とする写真撮影方法。
【請求項９】
被撮影者を撮影する撮影手段を備えた写真撮影装置の制御部が実行するプログラムであって、
前記撮影手段により得た画像から前記被撮影者の状態を、記憶部に記憶されている注意事項の判定基準に基づいて判定する判定部と、
前記判定部による判定結果に応じた案内情報を前記記憶部から読み出し、前記被撮影者に通知する通知部と、
を含むことを特徴とするプログラム。
【発明の詳細な説明】
【技術分野】
【０００１】
本発明は、写真撮影装置、写真撮影方法、及びプログラムに関し、詳細には、無人型写真撮影装置での写真撮影を支援する技術に関する。
【背景技術】
【０００２】
無人型写真撮影装置は、通常、被撮影者の顔画像の撮影を行い、必要な大きさの写真を印刷する。被撮影者は、印刷された写真を履歴書やパスポートの申請書等に貼付して使用する（例えば、特許文献１）。またデジタルカメラを用いた写真撮影において、ユーザ（被撮影者）の笑顔の表情を評価し、その表情評価値（笑顔度）が閾値を超えた時点で自動的に撮影する方法等が提案されている（特許文献２）。しかし特許文献２の方法では、自動で撮影されてしまうため、笑顔の度合いが十分だったとしても、その他の写真撮影における修正点（両肩の高さ、眉の高さ等）を改善することはできない。
【０００３】
一方、写真撮影装置には、肌を明るく色調を変化させる美肌機能が付与されているものがある。これは、撮影した写真をレタッチすることで写真の仕上がりを向上させるものである。また、撮影後に顔の位置やサイズを調整可能な装置もある。
【先行技術文献】
【特許文献】
【０００４】
【特許文献１】特開２００７−２４１７９３号公報
【特許文献２】特開２００８−０４２３１９号公報
【発明の概要】
【発明が解決しようとする課題】
【０００５】
しかしながら、上述の美肌機能や表情等を調整する機能はあくまでレタッチであるため、口元を笑顔で緩ませるような画像加工を自動で行うことは難しい。また、例えば就職活動では、業種毎に求める人材が異なるため、好印象を与えるための撮影時に注意すべき事項（髪型、服装、表情、化粧等）は業種によって異なる。
【０００６】
本発明は、このような問題に鑑みてなされたもので、その目的とするところは、写真の用途や提出先に応じた効果的な写真の撮影を支援することが可能な写真撮影装置、写真撮影方法、及びプログラムを提供することである。
【課題を解決するための手段】
【０００７】
前述した課題を解決するため第１の発明は、被撮影者を撮影する撮影手段と、前記被撮影者の状態について撮影時に注意する注意事項と、各注意事項の判定基準と、前記注意事項についての被撮影者への案内情報と、を記憶する記憶手段と、前記撮影手段により得た画像から前記被撮影者の状態を前記注意事項の判定基準に基づいて判定する判定手段と、前記判定手段による判定結果に応じて前記記憶手段に記憶された案内情報を読み出し、前記被撮影者に通知する通知手段と、を備えることを特徴とする写真撮影装置である。
【０００８】
第１の発明によれば、被撮影者を撮影し、所定の用紙にプリントする写真撮影装置において、画像から被撮影者の状態を注意事項の判定基準に基づいて判定し、判定結果に応じた案内情報を被撮影者に通知する。これにより、被撮影者は適切な表情、外見に写るようなガイダンスを受けながら撮影を行うことが可能となる。被撮影者がガイダンスに従って身だしなみや表情を整えることで、好適な写真を得ることができる。また、レタッチとは異なるため自然な写真写りとなる。
【０００９】
第１の発明において、前記撮影手段により撮影された画像を所定の用紙にプリントするプリント手段を更に備えることが望ましい。これにより、撮影された画像を所定の用紙にプリントすることが可能となる。
【００１０】
第１の発明において、注意事項の判定基準は、写真の用途または提出先に応じて設定されていることが望ましい。また、写真の用途または提出先を入力する入力手段を更に備え、前記判定手段は、前記入力手段により入力された写真の用途または提出先に応じた前記注意事項を前記記憶手段から抽出し、抽出した注意事項について前記被撮影者の状態を判定する。これにより、写真撮影装置は入力された写真の用途または提出先に応じた注意事項について被撮影者の状態を判定してガイダンスを行うため、写真の用途または提出先に応じて好適な写真を撮影できるようになる。
【００１１】
また第１の発明において、前記案内情報の通知を行うか否かの選択を受け付ける選択手段を更に備えることが望ましい。これにより、ユーザはガイダンスを受けるか否かを選択して撮影できる。また、前記撮影手段は、前記判定手段による判定結果が前記判定基準を満たした際に撮影を開始するようにしてもよい。これにより注意事項について判定基準を満たすと撮影が自動で開始されるためスムーズである。また判定手段による判定結果に基づき、判定基準を満たした注意事項の割合を示す達成率を算出し、表示することが望ましい。これにより被撮影者は、注意事項をどの程度達成しているかを撮影前に知ることができる。
【００１２】
第２の発明は、被撮影者を撮影する撮影手段を備えた写真撮影装置における写真撮影方法であって、前記撮影手段により得た画像から前記被撮影者の状態を、記憶部に記憶されている注意事項の判定基準に基づいて判定するステップと、判定結果に応じた案内情報を前記記憶部から読み出し、前記被撮影者に通知するステップと、を含むことを特徴とする写真撮影方法である。
【００１３】
第２の発明によれば、被撮影者を撮影し、所定の用紙にプリントする写真撮影装置において、画像から被撮影者の状態を注意事項の判定基準に基づいて判定し、判定結果に応じた案内情報を被撮影者に通知する。これにより、被撮影者は適切な表情、外見に写るようなガイダンスを受けながら撮影を行うことが可能となる。被撮影者がガイダンスに従って身だしなみや表情を整えることで、好適な写真を得ることができる。また、レタッチとは異なるため自然な写真写りとなる。
【００１４】
第３の発明は、被撮影者を撮影する撮影手段を備えた写真撮影装置の制御部が実行するプログラムであって、前記撮影手段により得た画像から前記被撮影者の状態を、記憶部に記憶されている注意事項の判定基準に基づいて判定する判定部と、前記判定部による判定結果に応じた案内情報を前記記憶部から読み出し、前記被撮影者に通知する通知部と、を含むことを特徴とするプログラムである。
【００１５】
第３の発明によれば、第１の発明の写真撮影装置の機能をプログラムにより実現できる。
【００１６】
本発明により、写真の用途や提出先に応じた効果的な写真の撮影を支援することが可能な写真撮影装置、写真撮影方法、及びプログラムを提供できる。
【図面の簡単な説明】
【００１７】
【図１】写真撮影装置１を示す透視図
【図２】写真撮影装置１の機能構成を示すブロック図
【図３】注意事項情報１６１の一例を示す図
【図４】一般的注意事項１６１ａのデータ内容の一例を示す図
【図５】追加注意事項１６１ｃ、１６１ｄのデータ内容の一例を示す図
【図６】案内情報１６２の一例を示す図
【図７】写真撮影装置１の全体処理を示すフローチャート
【図８】写真撮影装置１のメニュー画面４１の一例を示す図
【図９】資格種類選択画面４２の一例を示す図
【図１０】提出国選択画面４３の一例を示す図
【図１１】業種選択画面４４の一例を示す図
【図１２】職種選択画面４５の一例を示す図
【図１３】ガイダンス選択画面４６の一例を示す図
【図１４】ガイダンス通知前後の被撮影者５の状態の変化を示す図
【発明を実施するための形態】
【００１８】
以下、図面に基づいて本発明の好適な実施形態について詳細に説明する。
図１は、写真撮影装置１を示す透視図である。
【００１９】
写真撮影装置１は、ボックス型に形成されており、写真撮影装置１の外壁には、プリントされた写真を取り出すための取出口８１が設置される。写真撮影装置１の内部には、撮影室２が設置される。
【００２０】
撮影室２には、被撮影者５が座る回転可能な椅子３が備えられる。椅子３は、回転等により高さを調整することができる。
撮影室２における被撮影者５の上方、正面および背面に相当する位置には、それぞれ照明用のストロボ２１が設置される。
また、撮影室２における被撮影者５の正面には、操作手順や案内（ガイダンス）等、写真の撮影に関する画面や、撮影した写真等を表示する表示部４０、被撮影者５が撮影室２に入室したことを検出するための入室センサ５０、被撮影者５が所有している携帯電話等と通信するための赤外線通信部５５、撮影料金を精算するためのコインメック６０、被撮影者５が操作指示を入力するための操作ボタン７１やタッチパネル７２、ガイダンス等の音声を出力する音声出力部９０等が設置される。
【００２１】
図２は、写真撮影装置１の機能構成を示すブロック図である。
写真撮影装置１は、本体部１０、ストロボユニット２０、デジタルカメラ３０、表示部４０、入室センサ５０、赤外線通信部５５、コインメック６０、操作部７０、プリンタ部８０、通信制御部８２、及び音声出力部９０等から構成される。
【００２２】
本体部１０は、制御部１１、Ｉ／Ｏ（Input/Output）コントロール１２、Ｉ／Ｆ（インタフェース）１３、ＤＶＤ（Digital Versatile Disk）記憶部１４、ＲＡＭ（Random Access Memory）１５、記憶部１６を有する。
本体部１０は、Ｉ／Ｏコントロール１２を介して、ストロボユニット２０、コインメック６０、操作部７０と接続している。また、本体部１０は、Ｉ／Ｆ１３を介してプリンタ部８０、通信制御部８２と接続している。
【００２３】
制御部１１は、写真撮影装置１の各部を集中制御する。制御部１１は、記憶部１６に記憶された写真撮影装置１の各種処理プログラムに従って制御動作を行う。
【００２４】
Ｉ／Ｏコントロール１２は、ストロボユニット２０、コインメック６０、操作部７０等と各種情報を入出力するためのインタフェースである。
Ｉ／Ｆ１３は、プリンタ部８０、通信制御部８２との間で各種情報を入出力するためのインタフェースである。
【００２５】
ＤＶＤ記憶部１４は、記憶部１６に記憶されるデータ等を更新するためのものである。写真撮影装置１の管理者は、ＤＶＤ記憶部１４を介して、記憶部１６に記憶されるデータ等を更新する。
ＲＡＭ１５は、制御部１１により実行される処理プログラムの一時的な格納領域、処理結果の一時的格納領域として機能する。
【００２６】
記憶部１６は、写真撮影装置１で実行可能な各種処理プログラムや、プログラムの実行に必要なデータ等を記憶する。記憶部１６は、被撮影者が撮影時に注意すべき事項や背景についての設定情報である注意事項情報１６１や表示部４０に表示される案内情報１６２等を記憶する。注意事項情報１６１及び案内情報１６２については後述する（図３〜図６）。
【００２７】
ストロボユニット２０は、撮影室２において被撮影者５の上方、正面および背面に位置する照明用のストロボ２１と接続し、制御部１１から入力される制御信号に従って、ストロボ２１の発光タイミングや発光量を制御する。
【００２８】
デジタルカメラ３０は、光学レンズと、ＣＣＤ（Charge Coupled Device）やＣＭＯＳ（complementary Metal-Oxide Semiconductor）等の撮影素子と、Ａ／Ｄ（Analog/Digital）変換部等から構成される。デジタルカメラ３０は、制御部１１から入力される制御信号に従って、光学レンズを介して入力された被写体像を撮影素子により光電変換し、アナログ画像信号を生成する。そして、Ａ／Ｄ変換部によりアナログ画像信号をデジタル画像データに変換し、制御部１１に出力する。制御部１１は、デジタルカメラ３０により入力されたデジタル画像データ（以下、カメラ画像と呼ぶ）を表示部４０に出力する。
【００２９】
表示部４０は、液晶ディスプレイ等のタッチパネル付ディスプレイで、制御部１１から入力される表示信号に従って、表示処理を行う。
入室センサ５０は、被撮影者５が撮影室２内に入室したことを検出するものである。入出センタ５０は、被撮影者５の入室を検出すると、検出信号を制御部１１に出力する。入室センサ５０としては、発光器と受光器からなる光学式センサ等を用いる。
赤外線通信部５５は、写真撮影装置１により撮影された撮影データを識別する二次元バーコード等の識別情報、あるいは、撮影データが暗号化された暗号化情報を、被撮影者５の携帯電話等の携帯端末に送る。
【００３０】
コインメック６０は、硬貨や紙幣の入金口や、つり銭の返金口等を供えた金銭登録機である。コインメック６０は、入金口から入金された金額に関する情報を制御部１１に出力し、制御部１１から入力される制御信号に従って、つり銭額に応じた硬貨、紙幣を返金口に排出する。
【００３１】
操作部７０は、撮影室２の内壁に備えられた操作ボタン７１、表示部４０と一体的に構成されたタッチパネル７２等から構成され、被撮影者５による操作に従って制御信号を制御部１１に送る。
プリンタ部８０は、制御部１１から入力される制御信号に従って、撮影された写真の画像データを所定の用紙にプリントする。プリンタ部８０は高解像度カラープリンタであり、昇華型、溶融型等、プリンタの方式は問わない。
【００３２】
通信制御部８２は、写真撮影装置１のネットワーク４を介した通信を制御する。写真撮影装置１は、写真の画像データを、ネットワーク４を介してサーバ（不図示）に記憶し、撮影日以降、被撮影者５が撮影データを再プリントすること可能とする。
【００３３】
音声出力部９０は、制御部１１から入力される制御信号に従って所定の音声データを記憶部１６から取得し、スピーカから出力する。音声出力部９０は、例えば記憶部１６に記憶されている案内情報１６２に対応する音声データやその他の音声データを音声出力する。
【００３４】
次に、図３〜図６を参照して写真撮影装置１の記憶部１６に記憶される注意事項情報１６１及び案内情報１６２について説明する。
【００３５】
図３は注意事項情報１６１のデータ内容の一例を示す図である。
図３に示すように、注意事項情報１６１は、被撮影者５の状態について撮影時に注意する事柄（以下、注意事項という）についての設定情報である。注意事項情報１６１には、一般的注意事項１６１ａを適用するか否か（○または×）の設定情報と、背景色に関する設定情報と、一般的注意事項１６１ａに加えて確認する追加注意事項１６１ｃ、１６１ｄ、…の有無の情報等が含まれる。また、注意事項情報１６１は写真の用途または提出先に応じて設定されている。写真の用途とは、例えば、資格写真用、ビザ用、履歴書用等の区分である、提出先とは、用途が「資格写真」であれば資格の種類であり、用途が「ビザ」であれば提出国であり、用途が「履歴書」であれば業種や職種等である。
【００３６】
例えば履歴書用の証明写真では、「銀行」、「国家公務員」、「ホテル」、「証券」、「保険」等の業種を「履歴書Ａ」と分類する。また、「エネルギー」、「航空」、「鉄道」、「化粧品」、「製薬」、「不動産」、「建設」、「住宅」、「食品」、「ビール・飲料」、「電気」、「製造メーカ」、「自動車」、「地方公務員」、「情報・通信」、「建築」、「旅行」、「商社」、「流通」、「人材派遣」、「新聞・出版」、「介護」等の業種を「履歴書Ｂ」と分類する。「広告」、「テレビ・ラジオ局」、「ＩＴ」、「アパレル」、「映画」、「ゲーム」等の業種を「履歴書Ｃ」と分類する。これらの分類は、履歴書用写真として好適な髪型、服装、化粧、姿勢、表情等の観点で分類される。
【００３７】
同様に、資格写真、ビザ用写真についても、提出先（資格の種類、提出国）が複数種類に分類される。ビザの場合は、提出国によって適切な背景色が異なるため、背景色毎の分類としてもよい。また、提出国によってメガネ着用の可否等も異なるため、メガネ着用の可否を分類の基準としてもよい。
【００３８】
図３に示す注意事項情報１６１では、一般的注意事項は、ほぼ全ての写真の用途または提出先の分類（「資格試験Ａ」、「資格試験Ｂ」、…、「ビザＡ」、「ビザＢ」、…「履歴書Ａ」、「履歴書Ｂ」、…）について適用する注意事項が設定されている。背景色は、写真の用途または提出先の分類が「資格試験Ａ」、「資格試験Ｂ」、「履歴書Ａ」、「履歴書Ｂ」については「自由選択」と設定され、「ビザＡ」については「白」に設定され、「ビザＢ」については「国に応じた背景色」が設定されている。追加注意事項は、「資格試験Ａ」については「なし」、「資格試験Ｂ」については「あり（追加注意事項Ａ）」、「ビザＡ」については「なし」、「ビザＢ」については「あり（追加注意事項Ｂ）」、「履歴書Ａ」については「あり（追加注意事項Ｃ）」、「履歴書Ｂ」については「あり（追加注意事項Ｄ）」、…のように、写真の用途や提出先に応じて設定されている。
【００３９】
図４は、一般的注意事項１６１ａのデータ内容の一例を示す図であり、図５は、追加注意事項Ｃ１６１ｃ、及び追加注意事項Ｄ１６１ｄのデータ内容の一例を示す図である。図４及び図５に示すように、一般的注意事項１６１ａ及び追加注意事項１６１ｃ、１６１ｄ、…には、１または複数の注意事項がその判定基準とともに記憶される。
【００４０】
一般的注意事項１６１ａは、上述したように写真の用途または提出先を問わずほとんどの写真に適用される注意事項である。例えば、「前髪、髪のかかり具合」、「耳の出具合」、「髪のはね具合」、「姿勢（顔の向き）」、「姿勢（左右の肩の高さ）」、「背筋の伸び」、「あごの上り具合」、「目線」、「口角の上げ具合」、「体の位置」、「襟」、「シャツの色」等である。また、これらの各項目についてそれぞれ判定基準が設定されている。
【００４１】
具体的には、例えば図４に示す一般的注意事項１６１ａの注意事項「前髪、髪のかかり具合」についての判定基準は、「テンプレートｈ０１」や「テンプレートｈ０２」等のように、模範的な髪型を示す画像とする。制御部１１は、これらのテンプレートと、カメラ画像から抽出した髪領域とを比較（テンプレートマッチング）することにより、カメラ画像の被撮影者５の髪型が判定基準を満たしているか否を判定する。また、例えば注意事項「髪のはね具合」についての判定基準は、髪のはね具合を表す指標値である「髪はね度」の数値範囲が設定される。制御部１１は、カメラ画像から被撮影者５の髪領域を抽出し、髪領域全体における「髪のはね」部分を推定し、髪領域全体と髪のはねの部分との面積比等から「髪はね度」を算出し、閾値ｔ１と比較する。
【００４２】
また、一般的注意事項１６１ａに加え、提出先に応じて独自の注意事項が追加される。図３の注意事項情報１６１に示すように、例えば分類「履歴書Ａ」（「銀行」、「国家公務員」、「ホテル」、「証券」、「保険」等）では、追加注意事項の適用が「あり（追加注意事項Ｃ）」と設定されている。
【００４３】
追加注意事項Ｃ１６１ｃには、図５（ａ）に示すように、「髪型はアップ」、「シャツのボタンを上まで閉める」、「口角の上げ具合」、「目尻の下げ具合」、「メイクの濃さ」、「シャツの色」、「スーツの色」等が含まれる。これらの各項目について、それぞれ判定基準とするテンプレートや指標値（「口角の上り度」、「目尻ライン」、「メイク度」）、指定色等が設定される。
【００４４】
また、図３の注意事項情報１６１に示すように、分類「履歴書Ｂ」（エネルギー、航空、鉄道、化粧品等）では、追加注意事項の適用が「あり（追加注意事項Ｄ）」と設定されている。追加注意事項Ｄ１６１ｄは、図５（ｂ）に示すように、「髪型はハーフアップ」、「シャツの第２ボタンまで閉める」、「口角の上げ具合」、「目尻の下げ具合」、「メイクの濃さ」、「シャツの色」、「スーツの色」等が含まれる。これらの各項目について、それぞれ判定基準とするテンプレートや指標値（「口角の上り度」、「目尻ライン」、「メイク度」）、指定色等が設定される。
【００４５】
なお、用途が「履歴書」の場合、注意事項及び判定基準は、同じ業種であっても更に職種によって異なる判定基準を設けるものとしてもよい。これは、同じ業種でも例えば事務職と接客職とでは求められる印象が異なるためである。
【００４６】
図６は、案内情報１６２の例を示す図である。案内情報１６２には、上述の各注意事項の判定結果に対する案内情報が、テキストデータや音声データの形態で記憶されている。
具体的には、例えば、「前髪、髪のかかり具合」に対する案内情報としては、「前髪が目にかかっていますよ」、「後れ毛をまとめると素敵ですよ」、「両眉が見えるように前髪をまとめるとすっきり見えますよ」等が記憶されている。また、「口角の上り具合」に対する案内情報としては、「面白かった出来事を思い浮かべてみてください」、「口元を少し緩めると素敵ですよ」等が記憶されている。各注意事項の判定結果に応じて適切な案内情報が制御部１１により読み出されて、表示または音声出力される。
【００４７】
次に、図７を参照しながら、本発明に係る写真撮影装置１の処理の流れについて説明する。
まず写真撮影装置１の制御部１１は、図８に示すメニュー画面４１を表示部４０に表示し、被撮影者５に撮影する写真の用途を選択させる（ステップＳ１０１）。
図４は、写真撮影装置１のメニュー画面４１の一例を示す図である。メニュー画面４１には、撮影する写真の用途を表す「資格写真（運転免許証含む）」、「ビザ用写真」、「履歴書用写真」等のアイコンが選択可能に表示される。
【００４８】
被撮影者５がメニュー画面４１において写真用途を選択すると、次に制御部１１は、選択された写真用途に応じた詳細項目（提出先等）の選択画面を表示部４０に表示し、被撮影者５に詳細項目（提出先等）を選択させる（ステップＳ１０２）。
【００４９】
例えば、図８のメニュー画面４１において「資格写真（運転免許証含む）」が選択されると、制御部１１は、図９に示す資格種類選択画面４２を表示部４０に表示し、被撮影者５に資格の種類を選択させる。
【００５０】
図９は、資格種類選択画面４２の一例を示す図である。
資格種類選択画面４２には、例えば、「インテリアコーディネータ」、「インテリアプランナー」、「英検」、「衛生管理者」等、各種の資格が選択可能に表示される。
【００５１】
また例えば、図８のメニュー画面４１において「ビザ」が選択されると、制御部１１は、図１０に示す提出国選択画面４３を表示部４０に表示し、被撮影者５に提出する国名を選択させる。
【００５２】
図１０は、提出国選択画面４３の一例を示す図である。
提出国選択画面４３には、例えば、「アフガニスタン」、「インド」、「インドネシア」、「カンボジア」、…等のようにビザを提出する国名が選択可能に表示される。
【００５３】
また例えば、図８のメニュー画面４１において「履歴書」が選択されると、制御部１１は、図１１に示す業種選択画面４４を表示部４０に表示し、被撮影者５に履歴書を提出する業種を選択させる。
【００５４】
図１１は、業種選択画面４４の一例を示す図である。
業種選択画面４４には、例えば、「銀行」、「公務員」、「ホテル」、「証券」、「保険」、「化粧品」、「人材派遣」、「商社」、「航空」、「不動産」、「テレビ」、「流通」、「住宅」、「自動車」、「アパレル」、「介護」・・・等のように履歴書を提出する業種の種類が選択可能に表示される。
【００５５】
更に、業種内での職種を選択可能としてもよい。図１１の業種選択画面４４において業種が選択されると、写真撮影装置１の制御部１１は、次に図１２に示す職種選択画面４５を表示部４０に表示し、被撮影者５に職種を選択させる。
【００５６】
図１２は、職種選択画面４５の一例を示す図である。
職種選択画面４５には、例えば、「営業」、「製造」、「事務・企画」、「販売・サービス」、「研究」、「金融系専門職」、「開発」、「医療系専門職」…等のように職種が選択可能に表示される。
【００５７】
ステップ１０２において写真用途や詳細項目（資格種類、提出国、業種、職種等の写真の提出先）が選択されると、写真撮影装置１の制御部１１は、選択された写真用途及び詳細項目（提出先）に対応する注意事項及び判定基準を記憶部１６の注意事項情報１６１に基づいて抽出する（ステップＳ１０３）。
【００５８】
ステップＳ１０３において、写真用途とその詳細項目（提出先）に応じた注意事項が記憶部１６の記憶部１６から読み出され、ＲＡＭ１５に保持されると、次に制御部１１は、ガイダンスが必要か否かの選択を受け付けるガイダンス選択画面４６を表示部４０に表示する（ステップＳ１０４）。
【００５９】
図１３は、ガイダンス選択画面４６の一例を示す図である。
ガイダンス選択画面４６には、例えば図１３に示すように、「ガイダンス必要」、「ガイダンス不必要」のアイコンが表示される。
【００６０】
ガイダンス選択画面４６において「ガイダンス必要」が選択された場合は（ステップＳ１０４；Ｙｅｓ）、制御部１１は、デジタルカメラ３０にて撮像されている画像（カメラ画像）をステップＳ１０３で抽出した注意事項について判定する（ステップＳ１０５）。
【００６１】
ステップＳ１０５の判定処理は、例えば、デジタルカメラ３０の顔認識機能や公知の表情判定プログラム等を用いて行われる。注意事項の判定処理について、一例を説明する。
【００６２】
例えば、選択された用途、提出先に応じた注意事項の一つとして、「髪型はアップ」と「髪を耳にかける」が含まれているとする。この場合、まず制御部１１は、カメラ画像から髪領域を画素値に基づいて抽出する。更に、制御部１１は注意事項に対応する判定基準として「髪型はアップ」に該当する１または複数のテンプレート及び「髪を耳にかける」に該当する１または複数のテンプレートを記憶部１６から取得する。そして、制御部１１は抽出した髪領域とテンプレートマッチングすることで、カメラ画像の被撮影者５が「髪型はアップ」または「髪を耳にかける」に該当するか否かを判別する。なお、髪型のテンプレートは、例えば一般的な顔画像に基づいて機械学習等により生成されるものとすればよい。
【００６３】
或いは、制御部１１はカメラ画像から顔の「耳に相当する部分」（特定の要素領域）を抽出し、その面積を算出する。そして、制御部１１は、「耳に相当する部分」の面積が閾値よりも大きい場合（耳が十分に目視できる画像である場合）、「髪を耳にかける」画像に該当すると判断してもよい。
【００６４】
また、例えば、「左右の肩の高さ」については、制御部１１は、例えば、カメラ画像から左右の肩の位置を結ぶ線である肩ラインを算出し、算出した肩ラインと水平方向の基準線との角度が所定の閾値以下であれば、左右の肩の高さが同じと判定する。また、「口角の上り具合」や、「眉の下がり具合」等の注意事項については、制御部１１はカメラ画像から口領域や眉領域を抽出し、その形状から「口角の上り度」や「眉の下がり度」といった指標値を算出する。制御部１１は、それらの指標値を業種（分類）に応じて設定された所定の閾値（判定基準）と比較することで、「口角の上り具合」や、「眉の下がり具合」が判定基準を満たすか否かを判定する。
【００６５】
他の各注意事項についても同様に、制御部１１は、カメラ画像を注意事項に対応付けて記憶された判定基準に基づいて判定する。なお、判定処理は上述の例の手法に限定されるわけではなく、様々な手法の判定処理を用いてもよい。
【００６６】
制御部１１は、ステップＳ１０５の判定結果に応じた案内情報１６２を記憶部１６から取得する（ステップＳ１０６）。制御部１１は、ステップＳ１０６で取得した案内情報を、音声ガイダンスとして音声出力部９０から出力する。或いは、制御部１１は案内情報の文字情報を表示部４０（ディスプレイ）に表示する（ステップＳ１０７）。例えば、「前髪のかかり具合」が判定基準を満たさない場合は、「前髪が目にかかっていますよ」等の案内情報を通知する。また、「口角の上り具合」が判定基準を満たさない場合は、「面白かった出来事を思い浮かべてみてください」等の案内情報を通知する。
【００６７】
被撮影者５は、通知された案内情報（ガイダンス）に従って服装や表情や姿勢を直す。
【００６８】
なお、ステップＳ１０５の判定処理において、各注意事項についてカメラ画像が判定基準を満たしていると判定した場合は、制御部１１は「いい感じです。笑顔が素敵。」等のように判定基準を満たした旨のガイダンスを行うようにしてもよい。
【００６９】
被撮影者５により操作ボタン７１の「撮影」ボタンが押下され、撮影指示が入力されるまでの間（ステップＳ１０８；Ｎｏ）、制御部１１は、ステップＳ１０５の所定の時間経過毎にカメラ画像の判定を行い、判定結果に応じた案内情報１６２を記憶部１６から読み出して音声または表示により通知する（ステップＳ１０５〜ステップＳ１０７）。
【００７０】
被撮影者５が操作ボタン７１の「撮影」ボタンを押下すると（ステップＳ１０８；Ｙｅｓ）、制御部１１は、写真の撮影を開始する（ステップＳ１０９）。撮影では、既定回数、例えば３回連続して撮影を行う。写真の撮影中、制御部１１は、デジタルカメラ３０により撮像中のカメラ画像と撮影された写真のデータ（撮影データ）とを並べて表示するようにしてもよい。撮影時、制御部１１は、被撮影者５によって選択された用途・提出先に応じて、ストロボ２１の発光量等を制御したり、レフ板（不図示）を所定の位置に移動したりすることにより、選択された用途・提出先に適する写真映りとなるようにしてもよい。また、制御部１１は撮影後、画像全体の明暗、色の濃淡なども、被撮影者５によって選択された用途・提出先に適するように、画像処理を施してもよい。
【００７１】
ステップＳ１０９の撮影処理によって所定枚数の撮影データが生成されると、制御部１１は、プリントする撮影データを選択するためのプレビュー画面を表示し、被撮影者５による撮影データの選択を受け付ける（ステップＳ１１０）。被撮影者５は、プレビュー画面に表示されている複数の撮影データの中からプリントする撮影データを選択し、ＯＫボタンを選択する。制御部１１は、選択された撮影データをプリンタ部８０に送信する。プリンタ部８０は、所定の用紙に撮影データ等をプリントし、プリント物として排出する（ステップＳ１１１）。
【００７２】
ステップＳ１１１において、制御部１１は選択された撮影データに識別情報を付してネットワーク４を介してサーバ（不図示）に送るようにしてもよい。これによって、後日、再印刷するための撮影データ等をサーバに記憶させることができる。また、制御部１１は、プリントされた写真の識別情報を、赤外線通信部５５等を介して被撮影者５の携帯端末に送るようにしてもよい。あるいは、制御部１１は、識別情報とともにプリントされた写真のサムネイル画像を赤外線通信部５５を介して携帯端末に送るようにしてもよい。被撮影者５は、サムネイル画像を携帯端末に記憶させることで、後日、どのような写真なのかを確認することができる。また、携帯端末には画像データ自体を記憶させるわけではないので、写真撮影装置１の再利用を促進することができる。
【００７３】
また、制御部１１は、プリントされた写真の画像データ（撮影データ）が暗号化された暗号情報を、赤外線通信部５５等を介して携帯端末に送るようにしてもよい。暗号情報は、写真撮影装置１が解読可能とする（携帯端末では画像を表示できないものとする）。被撮影者５は、暗号情報を携帯端末に記憶させることで、後日、他の写真撮影装置１を利用しても再印刷することができる。また、携帯端末には画像データ自体を記憶させるわけではないので、写真撮影装置１の再利用を促進することができる。
【００７４】
また、制御部１１は、ステップＳ１１１において、撮影データをプリントするのに代えて（或いはプリントするとともに）、撮影データを赤外線通信部５５等を介して被撮影者５の携帯端末に送るようにしてもよい。これにより、被撮影者５は、携帯端末の画面で撮影データを閲覧することができる。
【００７５】
ステップＳ１０４において、「ガイダンス不必要」が選択された場合（ステップＳ１０４；Ｎｏ）は、制御部１１は、被撮影者５が選択した用途・提出先に応じた各注意事項について撮像中のカメラ画像が判定基準を満たすか否かを判定する（ステップＳ１１２）。ステップＳ１１２の判定処理は、ステップＳ１０５と同様である。制御部１１は、ステップＳ１１２の判定処理の結果に基づいて、カメラ画像が各注意事項の判定基準を満たしている程度を示す値である達成率を算出し、表示する。達成率は以下の式（１）により求められる。
【００７６】
【数１】
2018042120.tif 000003
【００７７】
制御部１１は達成率が所定の閾値以上であるか否かを判定する。達成率が所定の閾値以上である場合（ステップＳ１１３；Ｙｅｓ）、制御部１１は、撮影ボタンの押下操作を待たずに写真の撮影を開始する（ステップＳ１０９）。
なお、達成率が所定の閾値未満であっても（ステップＳ１１３；Ｎｏ）、被撮影者５により操作ボタン７１の「撮影」ボタンが押下された場合は（ステップＳ１１４；Ｙｅｓ）、撮影を開始する（ステップＳ１０９）。
【００７８】
達成率が閾値未満であり、撮影指示の入力もない場合は（ステップＳ１１３；Ｎｏ→ステップＳ１１４；Ｎｏ）、制御部１１はガイダンス選択画面４６に戻り、ガイダンスが必要か否かの選択を受け付ける（ステップＳ１０４）。
【００７９】
図１４は、デジタルカメラ３０により撮影されているカメラ画像の例であり、（ａ）はガイダンスを行う前、（ｂ）はガイダンスに沿って被撮影者５が髪型、表情、姿勢等を整えた後のカメラ画像を示している。図１４（ａ）に示す画像は、判定処理によって「後れ毛」、「髪のかかり具合」、「姿勢」の３点について判定基準に満たさないと判定された状態である。このときガイダンスとして、「後れ毛をまとめると素敵ですよ」、「両眉が見えるように前髪をまとめるとすっきり見えますよ」、「姿勢を正しましょうね」といったガイダンスが音声や表示により通知される。また、「ガイダンス達成率」としてステップＳ１１３で算出した達成率が表示される。
【００８０】
被撮影者５がガイダンスにしたがって、後れ毛、前髪のかかり具合、姿勢を直すと図１４（ｂ）に示すようなカメラ画像が得られる。この状態では、「後れ毛」、「髪のかかり具合」、「姿勢」についていずれも判定基準を満たす。制御部１１は、達成率を算出し、「ガイダンス達成率」の数値を更新する。表示部４０に案内情報が表示される場合は、制御部１１は各案内情報の後に、「Ｇｏｏｄ」等の判定結果を表示するようにしてもよい。
【００８１】
以上説明したように、本発明の写真撮影装置１の制御部１１は、カメラ画像から被撮影者５の状態を注意事項の判定基準に基づいて判定し、判定結果に応じた案内情報（ガイダンス）を被撮影者５に通知し、撮影された画像を所定の用紙にプリントする。被撮影者５はガイダンスに誘導されて身なりや表情等を整えることができ、適切な写真を得ることが可能となる。またレタッチとは異なり、被撮影者５が自分で姿勢や表情や服装の乱れを直すため、自然な写真写りとなる。また、被撮影者５が写真の用途または提出先を入力すると、写真撮影装置１の制御部１１は、入力された写真の用途または提出先に応じた注意事項について被撮影者５の状態を判定してガイダンスを行うため、写真の用途または提出先に応じて好適な写真を撮影できるようになる。例えば就職活動に用いる履歴書用の写真では提出先の業種に応じた好適な写真を撮影できるように被撮影者５にガイダンスを行える。
【００８２】
なお、シャツの色、化粧等の注意事項については、その場で着替えたり、化粧直しをすることは難しいため、制御部１１はレタッチで修正した写真を作成しプリントしてもよい。
【００８３】
また、カメラ画像が写真の用途や提出先に応じて抽出された各注意事項の判定基準を満たすか否かを判定する判定処理（図７のステップＳ１０５、ステップＳ１１２）は、写真撮影装置１の制御部１１が実行するものとして説明したが、これに限定されない。例えば、図２に示すように写真撮影装置１が通信制御部８２及びネットワーク４を介してサーバ（不図示）に通信接続されている場合等は、制御部１１はカメラ画像をサーバに送信し、サーバが上述の判定処理を実行し、判定結果を写真撮影装置１に返すものとしてもよい。この場合は、カメラ画像の判定処理をサーバで行うため、写真撮影装置１の制御部１１の処理負担を少なくすることが可能となる。また、判定基準等の注意事項情報１６１や案内情報１６２等のデータの更新をサーバ内で行えばよいため、メンテナンスが容易となる。
【００８４】
以上、添付図面を参照して、本発明に係る写真撮影装置等の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００８５】
１………写真撮影装置
２………撮影室
３………椅子
４………ネットワーク
５………被撮影者
１０………本体部
１１………制御部
１２………Ｉ／Ｏコントロール
１３………Ｉ／Ｆ
１４………ＤＶＤ記憶部
１５………ＲＡＭ
１６………記憶部
１６１………注意事項情報
１６１ａ……一般的注意事項
１６１ｃ、１６１ｄ……追加注意事項
１６２………案内情報
２０………ストロボユニット
２１………ストロボ
３０………デジタルカメラ
４０………表示部
４１………メニュー画面
４２………資格種類選択画面
４３………提出国選択画面
４４………業種選択画面
４５………職種選択画面
４６………ガイダンス選択画面
５０………入室センサ
５５………赤外線通信部
６０………コインメック
７０………操作部
７１………操作ボタン
７２………タッチパネル
８０………プリンタ部
８１………取出口
８２………通信制御部
９０………音声出力部
【図１】
2018042120.tif 000004
【図２】
2018042120.tif 000005
【図３】
2018042120.tif 000006
【図４】
2018042120.tif 000007
【図５】
2018042120.tif 000008
【図６】
2018042120.tif 000009
【図７】
2018042120.tif 000010
【図８】
2018042120.tif 000011
【図９】
2018042120.tif 000012
【図１０】
2018042120.tif 000013
【図１１】
2018042120.tif 000014
【図１２】
2018042120.tif 000015
【図１３】
2018042120.tif 000016
【図１４】
2018042120.tif 000017